(57)【特許請求の範囲】
【請求項１】
密閉空間内に形成され、前記密閉空間内に配置された冷却対象を冷却する第１流体が循環する第１循環流路と、
前記第１流体の熱が伝導される第２流体が循環する第２循環流路と、
前記第２流体から熱が伝導される第３流体が循環し、前記第３流体が循環する過程で前記第３流体に伝導された熱が放熱される第３循環流路と、
外装を構成する外装筐体と、を有し、
前記第１流体は、気体であり、
前記第２流体及び前記第３流体は、液体であり、
前記第１循環流路、前記第２循環流路及び前記第３循環流路は、前記外装筐体の内部に配置されていることを特徴とするプロジェクター。
【請求項２】
請求項１に記載のプロジェクターにおいて、
前記第２循環流路と前記第３循環流路とに接続され、前記第２循環流路を循環する前記第２流体の熱を、前記第３循環流路を循環する前記第３流体に伝導する熱交換装置を有し、
前記熱交換装置は、
内部を流通する前記第２流体から受熱する受熱部と、
内部を流通する前記第３流体に、前記受熱部から伝導された熱を放熱する放熱部と、
吸熱面が前記受熱部に熱伝導可能に接続され、放熱面が前記放熱部に熱伝導可能に接続される熱電変換素子と、を有することを特徴とするプロジェクター。
【請求項３】
請求項２に記載のプロジェクターにおいて、
前記第２循環流路は、
前記第２流体を圧送する第２循環流路側ポンプと、
前記密閉空間内に配置され、内部を流通する前記第２流体に前記第１流体から吸熱した熱を伝導する吸熱器と、
前記第２流体を貯留する第２循環流路側タンクと、
前記第２循環流路側ポンプ、前記吸熱器、前記第２循環流路側タンク及び前記熱交換装置を接続する複数の第２循環流路側流通管と、を含んで構成され、
前記第２循環流路側ポンプにより圧送された前記第２流体は、前記熱交換装置、前記吸熱器及び前記第２循環流路側タンクを順に流通した後、前記第２循環流路側ポンプに流入することによって前記第２循環流路を循環することを特徴とするプロジェクター。
【請求項４】
請求項３に記載のプロジェクターにおいて、
前記第２循環流路は、内部を流通する前記第２流体の熱を放熱する第２循環流路側放熱器を含んで構成されることを特徴とするプロジェクター。
【請求項５】
請求項２から請求項４のいずれか一項に記載のプロジェクターにおいて、
前記第３循環流路は、
前記第３流体を圧送する第３循環流路側ポンプと、
内部を流通する前記第３流体の熱を放熱する第３循環流路側放熱器と、
前記第３流体を貯留する第３循環流路側タンクと、
前記第３循環流路側ポンプ、前記第３循環流路側放熱器、前記第３循環流路側タンク及び前記熱交換装置を接続する複数の第３循環流路側流通管と、を含んで構成され、
前記第３循環流路側ポンプにより圧送された前記第３流体は、前記第３循環流路側放熱器、前記熱交換装置及び前記第３循環流路側タンクを順に流通した後、前記第３循環流路側ポンプに流入することによって前記第３循環流路を循環することを特徴とするプロジェクター。
【請求項６】
請求項１から請求項５のいずれか一項に記載のプロジェクターにおいて、
前記密閉空間内に配置され、前記第１流体を循環させる循環ファンを備えることを特徴とするプロジェクター。
【請求項７】
請求項１から請求項６のいずれか一項に記載のプロジェクターにおいて、
内部に前記密閉空間が形成される密閉筐体と、
前記密閉筐体外に設けられ、冷却空気を送風する冷却ファンと、を備え、
前記密閉筐体には、前記密閉筐体内の熱を外部に放熱する放熱部材が設けられ、
前記冷却ファンは、前記放熱部材に前記冷却空気を流通させることを特徴とするプロジェクター。
【請求項８】
請求項１から請求項７のいずれか一項に記載のプロジェクターにおいて、
内部に前記密閉空間が形成される密閉筐体と、
光源装置と、
前記光源装置から出射された光を変調して画像を形成する光変調装置と、
前記光源装置から出射された光の光路上に配置され、前記光変調装置による画像形成に寄与する光学部品と、を備え、
前記光学部品は、フィールドレンズを含み、
前記フィールドレンズは、前記密閉筐体とともに前記密閉空間を形成することを特徴とするプロジェクター。
【請求項９】
請求項１から請求項８のいずれか一項に記載のプロジェクターにおいて、
光源装置と、
前記光源装置から出射された光を変調して画像を形成する光変調装置と、
前記光源装置から出射された光の光路上に配置され、前記光変調装置による画像形成に寄与する光学部品と、を備え、
前記冷却対象は、前記光源装置、前記光変調装置及び前記光学部品のうち少なくともいずれかであることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターとして、それぞれ密閉構造内に配置された光学装置（光変調装置としての液晶パネルを含む）及び偏光変換素子を、当該密閉構造内を循環する空気によって冷却する密閉循環空冷ユニットを備える構成が提案されている（例えば、特許文献１参照）。
【０００３】
この特許文献１に記載のプロジェクターでは、密閉循環空冷ユニットは、第１の密閉構造内の第１空気流通路の空気を循環させて上記光学装置を冷却する第１の空冷ユニットと、第２の密閉構造内の第２空気流通路の空気を循環させて偏光変換素子を冷却する第２の空冷ユニットと、を備える。
第１の空冷ユニットは、熱交換器及び循環ファンと、光学部品用筐体とともに第１の密閉構造を構成するダクト部材と、第１の放熱装置と、を備える。これらのうち、熱交換器は、第１の密閉構造内部の第１空気流通路を辿る空気の熱を受熱して外部に放熱する装置であり、受熱側熱伝導性部材が第１の密閉構造内に面し、冷却ファンから送風された空気によって冷却される放熱側熱伝導性部材が第１の密閉構造外に面する構造である。また、第１の放熱装置は、ダクト部材のうち高熱伝導ダクト部に接続されて、流通する空気の熱を受熱する第１の受熱部材と、冷却ファンから空気が送風される第１の放熱部材と、一端にて第１の受熱部材と接続され、他端にて第１の放熱部材と接続されるヒートパイプで構成される第１の導熱部材と、を有する。そして、第１の空冷ユニットでは、循環ファンによって環状の第１空気流通路の空気が循環することにより、ダクト部材内の上記光学装置が冷却される。
【０００４】
第２の空冷ユニットは、循環ファン、ダクト部材及び第２の放熱装置を備える。これらのうち、第２の放熱装置は、環状の第２空気流通路を辿る空気から直接受熱する第２の受熱部材と、当該第２の受熱部材及び上記高熱伝導性ダクト部に伝導された熱を第２の密閉構造内部から外部に導き、上記第１の放熱部材に伝導する第２の導熱部材と、を備える。そして、循環ファンによって環状の第２空気流通路の空気が循環することにより、ダクト部材内の偏光変換素子が冷却される。
【先行技術文献】
【特許文献】
【０００５】
【特許文献１】特許第４２６５６３２号公報
【発明の概要】
【発明が解決しようとする課題】
【０００６】
上記特許文献１に記載のプロジェクターでは、ヒートパイプにより構成された導熱部材や、ヒートシンクにより構成された放熱部材によって、循環流路内を流通する空気の熱を外部に放熱する構成である。このような構成では、冷却対象の熱量が増大すると、ヒートパイプだけでは、密閉構造内の熱を効率よく伝導しづらいという問題がある。また、これにより、大型の受熱部材及び放熱部材を用いる必要があり、吸熱側及び放熱側の構成の配置自由度が低下する他、ヒートパイプを用いていることによる配置自由度の低下がある。
このような問題から、冷却対象を効率よく冷却でき、これによる冷却構造の配置自由度を向上できる構成が要望されてきた。
【０００７】
本発明は、上記課題の少なくとも一部を解決することを目的としたものであり、冷却対象を効率よく冷却できるプロジェクターを提供することを目的の１つとする。
【課題を解決するための手段】
【０００８】
本発明の一態様に係るプロジェクターは、密閉空間内に形成され、前記密閉空間内に配置された冷却対象を冷却する第１流体が循環する第１循環流路と、前記第１流体の熱が伝導される第２流体が循環する第２循環流路と、前記第２流体から熱が伝導される第３流体が循環し、前記第３流体が循環する過程で前記第３流体に伝導された熱が放熱される第３循環流路と、外装を構成する外装筐体と、を有し、前記第１流体は、気体であり、前記第２流体及び前記第３流体は、液体であり、前記第１循環流路、前記第２循環流路及び前記第３循環流路は、前記外装筐体の内部に配置されていることを特徴とする。
【０００９】
上記一態様によれば、第２循環流路を流通する液体である第２流体には、密閉空間内の気体である第１流体から熱が伝導され、当該第２流体の熱は、第３循環流路を流通する液体である第３流体に伝導されて放熱される。
これによれば、第２流体が循環する第２循環流路の少なくとも一部を密閉空間内に配置することにより、当該密閉空間内の第１流体から熱を第２流体に伝導させることができ、これにより、当該第２循環流路において密閉空間外に位置する部位にて、第２流体の熱を、密閉空間外に位置する第３循環流路を循環する第３流体に伝導させて放熱できる。従って、大きなヒートパイプを密閉空間の内外を連通するように配置する構成に比べて、第１流体の熱を、第２流体を介して第３流体に効果的に伝導できるので、密閉空間内の冷却対象を効果的に冷却できる。
また、第２循環流路の一部と第３循環流路とを密閉空間から離して配置できるので、これらのプロジェクター内における設置自由度を向上させることができる。従って、大きなヒートパイプを密閉空間近傍に配置しなければならない上記構成に比べて、第２循環流路及び第３循環流路を構成する部材の配置自由度を向上させることができる。
【００１０】
上記一態様では、前記第２循環流路と前記第３循環流路とに接続され、前記第２循環流路を循環する前記第２流体の熱を、前記第３循環流路を循環する前記第３流体に伝導する熱交換装置を有し、前記熱交換装置は、内部を流通する前記第２流体から受熱する受熱部と、内部を流通する前記第３流体に、前記受熱部から伝導された熱を放熱する放熱部と、吸熱面が前記受熱部に熱伝導可能に接続され、放熱面が前記放熱部に熱伝導可能に接続される熱電変換素子と、を有することが好ましい。
上記一態様によれば、熱電変換素子が、受熱部によって受熱された第２流体の熱を吸熱して、内部を第３流体が流通する放熱部に伝導することにより、当該第２流体の熱を第３流体に効率よく伝導できる。従って、第２流体を冷却できるので密閉空間内の第１流体を冷却でき、ひいては、冷却対象を効果的に冷却できる。
【００１１】
上記一態様では、前記第２循環流路は、前記第２流体を圧送する第２循環流路側ポンプと、前記密閉空間内に配置され、内部を流通する前記第２流体に前記第１流体から吸熱した熱を伝導する吸熱器と、前記第２流体を貯留する第２循環流路側タンクと、前記第２循環流路側ポンプ、前記吸熱器、前記第２循環流路側タンク及び前記熱交換装置を接続する複数の第２循環流路側流通管と、を含んで構成され、前記第２循環流路側ポンプにより圧送された前記第２流体は、前記熱交換装置、前記吸熱器及び前記第２循環流路側タンクを順に流通した後、前記第２循環流路側ポンプに流入することによって前記第２循環流路を循環することが好ましい。
上記一態様によれば、第２循環流路側ポンプが駆動されると、熱交換装置にて冷却された第２流体は、第２循環流路側流通管を介して吸熱器に流通する。これによれば、第２循環流路において最も温度が低い状態の第２流体を、密閉空間内の吸熱器に流通させることができる。従って、吸熱器での熱交換による第１流体の冷却を効果的に行うことができるので、冷却対象に温度が低い第１流体を流通させることができ、当該冷却対象を効果的に冷却できる。
【００１２】
上記一態様では、前記第２循環流路は、内部を流通する前記第２流体の熱を放熱する第２循環流路側放熱器を含んで構成されることが好ましい。
上記一態様によれば、第２循環流路側放熱器によって、第２流体を冷却できるので、当該第２流体の温度をより低下させることができる。従って、第１流体をより効果的に冷却でき、ひいては、冷却対象をより効果的に冷却できる。
【００１３】
上記一態様では、前記第３循環流路は、前記第３流体を圧送する第３循環流路側ポンプと、内部を流通する前記第３流体の熱を放熱する第３循環流路側放熱器と、前記第３流体を貯留する第３循環流路側タンクと、前記第３循環流路側ポンプ、前記第３循環流路側放熱器、前記第３循環流路側タンク及び前記熱交換装置を接続する複数の第３循環流路側流通管と、を含んで構成され、前記第３循環流路側ポンプにより圧送された前記第３流体は、前記第３循環流路側放熱器、前記熱交換装置及び前記第３循環流路側タンクを順に流通した後、前記第３循環流路側ポンプに流入することによって前記第３循環流路を循環することが好ましい。
上記一態様によれば、第３循環流路側ポンプが駆動されると、第３循環流路側放熱器によって放熱された第３流体が、第３循環流路側流通管を介して熱交換装置に流通される。これによれば、第３循環流路において最も温度が低い状態の第３流体を熱交換装置に流通させることができる。従って、第２流体から第３流体に熱を伝導させやすくすることができ、これにより第２流体を一層冷却できるので、第１流体、ひいては、冷却対象を一層効果的に冷却できる。
【００１４】
上記一態様では、前記密閉空間内に配置され、前記第１流体を循環させる循環ファンを備えることが好ましい。
上記一態様によれば、循環ファンにより、密閉筐体内の第１流体を確実に循環させることができる。従って、密閉筐体内の冷却対象に第１流体を確実に流通させることができ、当該冷却対象を確実に冷却できる。
【００１５】
上記一態様では、内部に前記密閉空間が形成される密閉筐体と、前記密閉筐体外に設けられ、冷却空気を送風する冷却ファンと、を備え、前記密閉筐体には、前記密閉筐体内の熱を外部に放熱する放熱部材が設けられ、前記冷却ファンは、前記放熱部材に前記冷却空気を流通させることが好ましい。
上記一態様によれば、密閉筐体が内部の熱を外部に放熱する放熱部材を有し、当該放熱部材には冷却ファンにより冷却空気が流通される。これによれば、上記第２循環流路及び第３循環流路とは別に、密閉空間内の第１流体の温度を低下させる経路を設けることができる。従って、第１流体の温度を一層低下させることができ、冷却対象を効果的に冷却できる。
【００１６】
上記一態様では、内部に前記密閉空間が形成される密閉筐体と、光源装置と、前記光源装置から出射された光を変調して画像を形成する光変調装置と、前記光源装置から出射された光の光路上に配置され、前記光変調装置による画像形成に寄与する光学部品と、を備え、前記光学部品は、フィールドレンズを含み、前記フィールドレンズは、前記密閉筐体とともに前記密閉空間を形成することが好ましい。
上記一態様によれば、密閉空間と他の空間（例えば光学部品が配置される光学部品用筐体内の空間）とを隔てる部材を省略できる。従って、部品点数を低減できるとともに、密閉筐体、ひいては、プロジェクターの小型化を図ることができる。
【００１７】
上記一態様では、光源装置と、前記光源装置から出射された光を変調して画像を形成する光変調装置と、前記光源装置から出射された光の光路上に配置され、前記光変調装置による画像形成に寄与する光学部品と、を備え、前記冷却対象は、前記光源装置、前記光変調装置及び前記光学部品のうち少なくともいずれかであることが好ましい。
上記一態様によれば、冷却対象が、光源、光変調装置及び光学部品の少なくともいずれかであることにより、当該冷却対象を効果的に冷却できることで、画像投射を安定して実施できる他、冷却対象の劣化や投射画像の劣化を抑制できる。
【図面の簡単な説明】
【００１８】
【図１】本発明の第１実施形態に係るプロジェクターを示す概要斜視図。
【図２】上記第１実施形態における画像形成装置の構成を示す模式図。
【図３】上記第１実施形態における冷却装置の概略構成を示すブロック図。
【図４】上記第１実施形態における熱交換装置を示す斜視図。
【図５】上記第１実施形態における熱交換装置を示す分解斜視図。
【図６】上記第１実施形態における熱交換装置を示す分解斜視図。
【図７】上記第１実施形態における冷却装置の変形を示すブロック図。
【図８】本発明の第２実施形態に係るプロジェクターが備える冷却装置の構成を示すブロック図。
【発明を実施するための形態】
【００１９】
［第１実施形態］
以下、本発明の第１実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調して画像情報に応じた画像を形成し、当該画像をスクリーン等の被投射面上に拡大投射する投射型表示装置である。
このプロジェクター１は、詳しくは後述するが、冷却対象が配置された密閉筐体内の冷却空気を循環させて当該冷却対象を冷却し、当該冷却対象を冷却して熱を帯びた冷却空気の熱を、密閉筐体内外を循環する第１液体を介して第２液体に伝導させ、密閉筐体外にて当該第２液体を循環させる過程にて、当該第２液体の熱を放熱し、これにより、密閉筐体内の冷却対象の熱を密閉筐体外にて放熱する機能を有する。
このプロジェクター１は、図１に示すように、外装を構成する外装筐体２を備える。
【００２０】
外装筐体２は、天面部２１、底面部２２、正面部２３、背面部２４及び左右の側面部２５，２６を有する略直方体形状に形成されている。
天面部２１には、使用者がプロジェクター１を把持したり、天井等に設置された器具にプロジェクター１を固定する際に利用される一対の把手２１１が設けられている。また、天面部２１には、後述する光源装置３１Ａ，３１Ｂを外装筐体２内に交換可能に収納するための開口部（図示省略）が形成され、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３５の一部が露出する開口部２３１が形成されている。
これらの他、図示を省略するが、右側の側面部２６には、外装筐体２外の空気を内部に導入する導入口が形成され、左側の側面部２５には、外装筐体２内の空気を外部に排出する排気口が形成されている。
【００２１】
［プロジェクターの内部構成］
図２は、画像形成装置３の構成を示す模式図である。
プロジェクター１は、上記外装筐体２の他、図２に示すように、当該外装筐体２内に配置される画像形成装置３を備える。この他、図示を省略するが、プロジェクター１は、当該プロジェクター１を制御する制御装置、及び、当該プロジェクター１を構成する電子部品に電力を供給する電源装置を備える。
【００２２】
［画像形成装置の構成］
画像形成装置３は、上記制御装置から入力される画像情報に応じた画像を形成及び投射する。この画像形成装置３は、照明装置３１、均一化装置３２、色分離装置３３、電気光学装置３４、投射光学装置３５及び光学部品用筐体３６を備える。
これらのうち、光学部品用筐体３６は、内部に照明光軸Ａｘが設定された箱状筐体であり、照明装置３１、均一化装置３２、色分離装置３３及び電気光学装置３４は、光学部品用筐体３６内における照明光軸Ａｘ上の位置に配置される。また、投射光学装置３５は、光学部品用筐体３６外に位置するものの当該照明光軸Ａｘに応じて配置される。
【００２３】
照明装置３１は、互いに対向配置される一対の光源装置３１Ａ，３１Ｂと、当該一対の光源装置３１Ａ，３１Ｂの間に配置される反射ミラー３１Ｃと、を備える。
一対の光源装置３１Ａ，３１Ｂは、光源ランプ３１１及びリフレクター３１２と、これらを内部に収納する収納体３１３とをそれぞれ備える。そして、これら光源装置３１Ａ，３１Ｂは、反射ミラー３１Ｃに向けて光を出射する。
反射ミラー３１Ｃは、光源装置３１Ａ，３１Ｂから入射される光をそれぞれ同方向に反射させ、これにより、当該光を均一化装置３２に入射させる。
【００２４】
均一化装置３２は、照明装置３１から出射された光束の中心軸に対する直交面内の照度を均一化する。この均一化装置３２は、調光装置３２０、ＵＶフィルター３２１、第１レンズアレイ３２２、シネマフィルター３２３、第２レンズアレイ３２４、偏光変換素子３２５及び重畳レンズ３２６を有する。これらのうち、偏光変換素子３２５は、入射された光の偏光方向を一種類に揃えるものであり、本発明の光学部品の１つである。
色分離装置３３は、均一化装置３２から入射される光束を、赤（Ｒ）、緑（Ｇ）及び青（Ｂ）の３つの色光に分離する。この色分離装置３３は、ダイクロイックミラー３３１，３３２、反射ミラー３３３〜３３６及びリレーレンズ３３７を有する。
【００２５】
電気光学装置３４は、分離された各色光を画像情報に応じて変調した後、変調された各色光を合成する。この電気光学装置３４は、それぞれ色光毎に設けられる光変調装置としての液晶パネル３４１（赤、緑及び青用の液晶パネルを、それぞれ３４１Ｒ，３４１Ｇ，３４１Ｂとする）、フィールドレンズ３４０、入射側偏光板３４２及び出射側偏光板３４３と、１つの色合成装置３４４と、を有する。これらのうち、色合成装置３４４としては、ダイクロイックプリズムを採用できる。また、各フィールドレンズ３４０は、入射側偏光板３４２と、反射ミラー３３４〜３３６のうち対応する反射ミラーとの間に配置されている。
投射光学装置３５は、色合成装置３４４により合成された光束（画像を形成する光束）を上記被投射面上に拡大投射する投射レンズである。このような投射光学装置３５としては、鏡筒内に複数のレンズが配置された組レンズを採用できる。
【００２６】
［冷却装置の構成］
図３は、冷却装置４の概略構成を示すブロック図である。
プロジェクター１は、上記構成の他、外装筐体２内に配置される冷却装置４を備える。この冷却装置４は、密閉筐体５１により形成される密閉空間Ｓ内の冷却空気（第１流体）を循環させて流通させることにより、当該密閉空間Ｓ内に配置された冷却対象を冷却し、これら冷却対象の冷却に供せられた冷却空気の熱を、循環流路を循環する第１液体（第２流体）に伝導して密閉筐体５１外に流出させ、当該第１液体から他の循環流路を流通する第２液体（第３流体）に伝導して放熱するものである。なお、第１液体及び第２液体は、それぞれ異なる循環流路を流通する液体であることを示す呼称であり、それぞれ同じ成分の液体であってもよい。このような液体としては、水やプロピレングリコール等の不凍液を例示できる。
この冷却装置４は、図３に示すように、循環冷却装置５、吸熱装置６、放熱装置７及び熱交換装置８を備える。
【００２７】
［循環冷却装置の構成］
循環冷却装置５は、密閉筐体５１内の冷却空気を循環させて、当該密閉筐体５１内に配置された上記冷却対象を冷却するものであり、本発明の第１循環流路を構成する。この循環冷却装置５は、密閉筐体５１の他、循環ファン５２及び冷却ファン５３を備える。
密閉筐体５１は、冷却対象である電気光学装置３４及び偏光変換素子３２５と、循環ファン５２及び冷却ファン５３と、後述する吸熱装置６を構成する吸熱器６１と、が収納される筐体であり、これらが配置される密閉空間Ｓを形成する。この密閉筐体５１は、当該密閉筐体５１外の空気が内部に流入しにくい密閉構造として構成されている。
この密閉筐体５１は、当該密閉筐体５１の外縁を構成する外壁部５１Ａと、内側の面を構成する内壁部５１Ｂと、を有し、これら外壁部５１Ａ及び内壁部５１Ｂが組み合わされることにより、密閉筐体５１内には、環状の循環流路が形成されている。この循環流路上に、上記冷却対象は、配置されている。また、密閉筐体５１は、フィールドレンズ３４０を収納する開口部を少なくとも一つ有している。換言すると、フィールドレンズ３４０のうち、少なくとも一つは、上記光学部品用筐体３６とともに、密閉筐体５１の一部を形成している。なお、本実施形態では、当該循環流路において電気光学装置３４は上流側に位置し、偏光変換素子３２５は下流側に位置している。
【００２８】
循環ファン５２は、密閉筐体５１内の冷却空気を吸引して吐出することにより、当該密閉筐体５１内を循環させる。この循環ファン５２は、本実施形態では軸流ファンにより構成され、後述する吸熱器６１近傍に２つ設けられている。しかしながら、これに限らず、循環ファン５２は、シロッコファンにより構成されていてもよく、循環ファン５２の数も適宜変更可能であり、更には分散して配置してもよい。
冷却ファン５３は、密閉筐体５１内の冷却空気を吸引して、ダクト（図示省略）を介して上記冷却対象に送出する。この冷却ファン５３は、上記電気光学装置３４の各液晶パネル３４１に応じて設けられ、当該各液晶パネル３４１に冷却空気を送出する冷却ファン５３Ｒ，５３Ｇ，５３Ｂと、偏光変換素子３２５に冷却空気を送出する冷却ファン５３Ｐを含む。このような冷却ファン５３は、本実施形態ではシロッコファンにより構成されているが、軸流ファンにより構成されてもよく、冷却ファン５３の数も適宜変更可能である。
【００２９】
［吸熱装置の構成］
吸熱装置６は、上記密閉筐体５１内の冷却空気から熱を吸熱し、当該熱が伝導された第１液体（第２流体）を、密閉筐体５１外に位置する熱交換装置８に流通させるものであり、本発明の第２循環流路を構成する。この吸熱装置６は、吸熱器６１、タンク６２及びポンプ６３と、複数の流通管６４と、を有する。
これらのうち、流通管６４（６４１〜６４４）は、本発明の第２循環流路側流通管に相当し、吸熱器６１、タンク６２及びポンプ６３と、後述する熱交換装置８とを、第１液体が内部を流通可能に接続する。
【００３０】
吸熱器６１は、上記密閉筐体５１内に配置され、タンク６２及びポンプ６３は、当該密閉筐体５１外に配置されている。
これらのうち、吸熱器６１は、流通管６４１を介してタンク６２と接続され、また、流通管６４４を介して熱交換装置８と接続されている。この吸熱器６１は、密閉筐体５１内を循環する冷却空気から熱を吸熱して当該冷却空気を冷却し、吸熱した熱を、内部を流通する第１液体に伝導させる。この吸熱器６１により熱せられた第１液体は、流通管６４１を介してタンク６２に向けて流通する。
【００３１】
タンク６２は、本発明の第２循環流路側タンクに相当し、流通管６４２を介してポンプ６３と接続されている。このタンク６２は、流通管６４１〜６４４を介して循環する第１液体を一時的に貯留する。これにより、空気や不純物が混入した第１液体が、ポンプ６３に流入されることが抑制される。
ポンプ６３は、本発明の第２循環流路側ポンプに相当し、流通管６４２を介して流入された第１液体を、流通管６４３を介して熱交換装置８に圧送する。
そして、熱交換装置８に流通した第１液体は、当該熱交換装置８によって冷却されて、流通管６４４を介して吸熱器６１に再度流通する。これにより、温度が低い第１液体が吸熱器６１に流通し、当該吸熱器６１にて密閉筐体５１内の冷却空気から吸熱された熱を帯びた第１液体が、吸熱器６１から流通管６４１を介してタンク６２に流入される。このように、吸熱装置６では、ポンプ６３が駆動されることによって第１液体が循環される。
なお、熱交換装置８の構成については、後に詳述する。
【００３２】
［放熱装置の構成］
放熱装置７は、熱交換装置８によって第１液体から受熱された熱が伝導される第２液体（第３流体）を循環させ、当該第２液体の熱を放熱するものであり、本発明の第３循環流路を構成する。この放熱装置７は、上記密閉筐体５１の外部に配置されており、タンク７１、ポンプ７２及び放熱器７３と、流通管７４と、冷却ファン７５と、を備える。
これらのうち、流通管７４（７４１〜７４４）は、本発明の第３循環流路側流通管に相当し、タンク７１、ポンプ７２及び放熱器７３と、熱交換装置８とを、第２液体が内部を流通可能に接続する。
【００３３】
タンク７１は、本発明の第３循環流路側タンクに相当し、上記タンク６２と同様に、放熱装置７を循環する第２液体を一時的に貯留する。このタンク７１は、流通管７４１を介して熱交換装置８と接続され、流通管７４２を介してポンプ７２と接続されている。
ポンプ７２は、本発明の第３循環流路側ポンプに相当し、流通管７４２を介して流入される第２液体を、流通管７４３を介して放熱器７３に圧送する。
放熱器７３は、内部を流通する第２液体の熱を放熱し、これにより、当該第２液体を冷却するラジエターである。この放熱器７３により冷却された第２液体は、流通管７４４を介して熱交換装置８に流通される。
【００３４】
このように構成された放熱装置７では、ポンプ７２が駆動されると、流通管７４によってそれぞれ接続されたポンプ７２、放熱器７３、熱交換装置８及びタンク７１を、第２液体が循環する。これにより、熱交換装置８にて第２液体に伝導された熱が、放熱器７３によって放熱される。
なお、放熱器７３には、冷却ファン７５によって側面部２６の導入口（図示省略）から導入された外装筐体２外の空気が流通し、これにより、放熱器７３が冷却される。そして、当該放熱器７３の冷却に供されて熱せられた空気は、側面部２５に形成された排気口（図示省略）を介して外装筐体２外に排出される。
【００３５】
［熱交換装置の構成］
図４は、熱交換装置８の構成を示す斜視図であり、図５及び図６は、熱交換装置８の構成を示す分解斜視図である。なお、図５は、一端側から熱交換装置８を見た分解斜視図であり、図６は、他端側から見た分解斜視図である。
熱交換装置８は、上記のように、吸熱装置６を循環する第１液体、すなわち、上記密閉筐体５１内の冷却空気の熱が伝導された第１液体から受熱し、受熱した熱を、放熱装置７を循環する第２液体に伝導して、第１液体と第２液体との間で熱を交換する。この熱交換装置８は、図４〜図６に示すように、第１液体が流通する受熱部８１と、当該受熱部８１を挟む２つの放熱部８２，８３と、２つの熱伝導部８４，８５と、を備える。
【００３６】
受熱部８１は、ポンプ６３から流通管６４３を介して流入される第１液体が内部を流通する過程にて、当該第１液体から受熱するものである。この受熱部８１は、図示を省略するが、内部に形成された空間内に、熱伝導性を有する複数のフィンにより複数の微細流路が形成されており、当該微細流路を第１液体が通過する過程にて受熱された熱は、受熱部８１において互いに対向する板状体８１Ａ（図５）及び板状体８１Ｂ（図６）に伝導される。このような受熱部８１によって受熱されて冷却された第１液体は、流通管６４４を介して吸熱器６１に流通する。
【００３７】
２つの熱伝導部８４，８５は、それぞれ、受熱部８１を挟む位置に配置されている。
熱伝導部８４は、筐体８４１（支持体）と、当該筐体８４１によって支持される熱電変換素子８４２と、を有する。
熱電変換素子８４２は、ペルチェ素子であり、吸熱面８４２Ａが受熱部８１側を向き、放熱面８４２Ｂが放熱部８２側を向くように配置される。そして、熱伝導部８４は、熱電変換素子８４２の吸熱面８４２Ａが上記板状体８１Ｂに熱伝導可能に接続され、放熱面８４２Ｂが放熱部８２に熱伝導可能に接続される状態で、受熱部８１と放熱部８２との間に配置される。そして、熱電変換素子８４２は、第１液体から受熱部８１に伝導された熱を吸熱し、放熱部８２に伝導する。
【００３８】
熱伝導部８５は、上記熱伝導部８４と同様に構成されており、筐体８５１（支持体）と、当該筐体８５１によって支持される熱電変換素子８５２と、を有する。なお、熱電変換素子８５２は、ペルチェ素子である。
このような熱伝導部８５は、熱電変換素子８５２の吸熱面８５２Ａが上記板状体８１Ａに熱伝導可能に接続され、放熱面８５２Ｂが放熱部８３に熱伝導可能に接続される状態で、受熱部８１と放熱部８３との間に配置される。そして、熱電変換素子８５２は、第１液体から受熱部８１に伝導された熱を吸熱し、放熱部８３に伝導する。
なお、熱電変換素子８４２，８５２は、上記制御装置によって印加電圧が設定されて動作が制御される。この際、制御装置は、密閉筐体５１内外の温度に基づいて、例えば、密閉筐体５１内の温度が密閉筐体５１外の温度の所定範囲内に収まるように、熱電変換素子８４２，８５２の熱伝導状態を制御する。これにより、密閉筐体５１内が冷えすぎる等して当該密閉筐体５１内に結露が生じることを抑制している。
【００３９】
放熱部８２，８３は、それぞれ内部を上記第２液体が流通する。これら放熱部８２，８３のうち、受熱部８１に対して熱伝導部８４側に位置する放熱部８２は、上記流通管７４４と接続され、放熱器７３にて冷却された第２液体が流入される。また、放熱部８２は、受熱部８１を挟んで反対側に位置する放熱部８３と第２液体を流通可能に接続され、当該放熱部８３は、流通管７４１を介してタンク７１と接続される。すなわち、放熱部８２と放熱部８３とは、第２液体の循環流路において直列に接続され、上流側に放熱部８２が位置し、下流側に放熱部８３が位置する。
これら放熱部８２，８３において第２液体が流通する内部には、図示を省略するが、上記と同様の複数の微細流路が形成されており、当該複数の微細流路を第２液体が流通する過程にて、放熱部８２，８３に伝導された熱が第２液体に伝導される。
【００４０】
［冷却装置による熱伝導経路］
上記構成を有する冷却装置４では、図３に示したように、循環冷却装置５を構成する密閉筐体５１内に配置された冷却対象（偏光変換素子３２５及び電気光学装置３４）は、循環ファン５２によって循環されて、かつ、冷却ファン５３によって送出される冷却空気（第１流体）によって冷却される。この冷却対象の冷却に供された冷却空気の熱は、密閉筐体５１内に配置された吸熱器６１によって吸熱され、当該冷却空気は冷却される。
吸熱器６１を含む吸熱装置６では、ポンプ６３の駆動によって第１液体（第２流体）が循環し、これにより、吸熱器６１によって熱を帯びた第１液体は、タンク６２及びポンプ６３を介して、熱交換装置８の受熱部８１に流入される。この受熱部８１内を第１液体が流通することにより、当該第１液体の熱が受熱部８１に伝導される。これにより、第１液体は冷却され、流通管６４４を介して再び吸熱器６１に送られる。
【００４１】
受熱部８１に伝導された熱は、熱伝導部８４，８５の熱電変換素子８４２，８５２により放熱部８２，８３に伝導される。これら放熱部８２，８３には、放熱装置７を循環する第２液体（第３流体）が流入される。これら放熱部８２，８３内を第２液体が流通することにより、当該第２液体に、受熱部８１にて受熱された熱が伝導される。
この第２液体は、タンク７１及びポンプ７２を介して放熱器７３に流通し、放熱器７３内を流通する過程にて当該第２液体の熱が放熱され、冷却された第２液体は、再度、放熱部８２，８３に送られる。
なお、上記のように、放熱器７３には、冷却ファン７５からの冷却空気が流通し、これにより、放熱器７３が冷却される。
【００４２】
以上説明した本実施形態に係るプロジェクター１によれば、以下の効果がある。
密閉空間Ｓ内の循環流路を循環する冷却空気から熱が伝導された第１液体は、吸熱装置６によって密閉空間Ｓ内外に形成される循環流路を流通し、当該第１液体の熱は、放熱装置７によって密閉空間Ｓ外に形成される循環流路を流通する第２液体に伝導されて放熱される。これによれば、吸熱装置６の吸熱器６１が密閉空間Ｓ内に位置することにより、当該密閉空間Ｓ内の冷却空気から熱を第１液体に伝導させることができ、更に、密閉筐体５１外にて第１液体の熱を第２液体に伝導させて放熱できる。従って、大きなヒートパイプを密閉空間Ｓの内外を連通するように配置する構成に比べて、密閉空間Ｓ内の冷却空気の熱を、第１液体を介して第２液体に効果的に伝導でき、密閉空間Ｓ内の冷却対象を効果的に冷却できる。
また、吸熱装置６の一部の構成と放熱装置７とを密閉空間Ｓ（密閉筐体５１）から離して配置できるので、これら構成のプロジェクター１（外装筐体２）内における設置自由度を向上させることができる。従って、大きなヒートパイプを密閉筐体５１近傍に配置しなければならない構成に比べて、各構成の配置自由度を向上させることができる。
【００４３】
熱交換装置８では、熱電変換素子８４２，８５２が、受熱部８１によって受熱された第１液体の熱を吸熱して、内部を第２液体が流通する放熱部８２，８３に伝導することにより、第１液体及び第２液体の間にて熱を効率よく伝導できる。従って、第１液体を冷却できるので、密閉空間Ｓ内の冷却空気を冷却でき、冷却対象を効果的に冷却できる。
【００４４】
ポンプ６３が駆動されると、熱交換装置８にて冷却された第１液体は、流通管６４（６４４）を介して吸熱器６１に流通する。これによれば、吸熱装置６の循環流路において最も温度が低い状態の第１液体を、密閉筐体５１内の吸熱器６１に流通させることができる。従って、吸熱器６１の熱交換による冷却空気の冷却を効果的に実施できるので、温度が低い冷却空気を冷却対象に流通させることができ、当該冷却対象を効果的に冷却できる。
【００４５】
ポンプ７２が駆動されると、放熱器７３によって放熱された第２液体は、流通管７４（７４４）を介して熱交換装置８に流通される。これによれば、放熱装置７の循環流路において最も温度が低い状態の第２液体を熱交換装置８に流通させることができる。従って、第１液体から第２液体に熱を伝導させやすくすることができ、当該第１液体を一層効果的に冷却できるので、密閉空間Ｓ内の冷却空気、ひいては、冷却対象を一層効果的に冷却できる。
【００４６】
密閉筐体５１内には循環ファン５２が設けられており、当該循環ファン５２が駆動することにより、密閉筐体５１内の冷却空気を確実に循環させることができる。従って、密閉空間Ｓ内の冷却対象に冷却空気を確実に流通させることができ、当該冷却対象を確実に冷却できる。
【００４７】
フィールドレンズ３４０のうち、少なくとも一つは、密閉筐体５１及び光学部品用筐体３６とともに、上記密閉空間Ｓを形成している。このため、密閉筐体５１内の空間（密閉空間Ｓ）と光学部品用筐体３６内の空間とを隔てる部材を省略できる。従って、部品点数を低減できるとともに、密閉筐体５１、ひいてはプロジェクター１の小型化を図ることができる。
【００４８】
冷却対象は、光変調装置としての液晶パネル３４１を含む電気光学装置３４と、光学部品としての偏光変換素子３２５である。このため、これら冷却対象を効果的に冷却できることにより、画像投射を安定して実施できる他、当該冷却対象の劣化や投射画像の劣化を抑制できる。
【００４９】
［第１実施形態の変形］
図７は、上記冷却装置４の変形である冷却装置４Ａの構成を示すブロック図である。
上記冷却装置４では、吸熱装置６は、吸熱器６１により密閉空間Ｓ内の冷却空気から熱が伝導された第１液体を循環させ、当該第１液体は、熱交換装置８を通過する際に吸熱されて冷却される構成であった。しかしながら、吸熱装置の構成は、上記に限らず、吸熱装置が、第１液体を冷却する構成を更に備えていてもよい。
例えば、図７に示す吸熱装置６Ａは、吸熱装置６の構成に加えて更に放熱器６５及び冷却ファン６６を備え、当該放熱器６５は、吸熱器６１とタンク６２との間に配置されている。すなわち、放熱器６５は、吸熱装置６Ａにおける冷却液体の循環流路において、吸熱器６１の下流側で、かつ、タンク６２の上流側に配置されている。
この放熱器６５は、本発明の第２循環流路側放熱器に相当し、上記放熱器７３と同様に、内部を第１液体が流通する過程で当該第１液体の熱を放熱するラジエターである。
そして、放熱器６５は、吸熱器６１から流通管６４（６４５）を介して流入される第１液体の熱を放熱して当該第１液体を冷却し、冷却された第１液体を、流通管６４（６４１）を介してタンク６２に流通させる。なお、当該放熱器６５には、冷却ファン６６によって外装筐体２内に導入された冷却空気が流通され、これにより放熱器６５は冷却される。
【００５０】
このような吸熱装置６Ａを吸熱装置６に代えて有する冷却装置４Ａ、また、当該冷却装置４Ａを冷却装置４に代えて備えるプロジェクターによっても、上記冷却装置４及びプロジェクター１と同様の効果を奏することができる他、以下の効果を奏することができる。
放熱器６５によって、吸熱装置６Ａを循環する第１液体を冷却できるので、当該第１液体の温度をより下げることができる。従って、吸熱器６１によって、密閉空間Ｓ内の冷却空気をより効果的に冷却でき、ひいては、上記冷却対象をより効果的に冷却できる。
【００５１】
［第２実施形態］
次に、本発明の第２実施形態について説明する。
本実施形態に係るプロジェクターは、上記プロジェクター１と同様の構成を有するが、上記密閉筐体に更に他の熱伝導経路（放熱経路）が設けられている点で、当該プロジェクター１と相違する。なお、以下の説明では、既に説明した部分と同一又は略同一である部分については、同一の符号を付して説明を省略する。
【００５２】
図８は、本実施形態に係るプロジェクターが備える冷却装置４Ｂの構成を示すブロック図である。
本実施形態に係るプロジェクターは、冷却装置４に代えて冷却装置４Ｂを有する他は、上記プロジェクター１と同様の構成及び機能を有する。また、冷却装置４Ｂは、図８に示すように、密閉空間冷却装置９を更に備える他は、上記冷却装置４と同様の構成及び機能を有する。
【００５３】
密閉空間冷却装置９は、上記吸熱装置６、放熱装置７及び熱交換装置８の組合せとは異なる経路（すなわち、第２循環流路及び第３循環流路とは異なる経路）にて、上記密閉空間Ｓ内にて循環される冷却空気を冷却する。この密閉空間冷却装置９は、上記密閉筐体５１の外壁部５１Ａを貫通する放熱部材９１と、当該放熱部材９１に冷却空気を流通させる冷却ファン９２と、を備える。
【００５４】
放熱部材９１は、いわゆるヒートシンクで構成され、外壁部５１Ａに形成された開口部（図示省略）に嵌合されている。このため、放熱部材９１の一部は、密閉筐体５１内に位置し、他の一部は、密閉筐体５１外に位置している。このような放熱部材９１は、密閉筐体５１内の冷却空気の循環流路において、冷却対象の下流側で、かつ、吸熱器６１の上流側に位置するように配置される。なお、本実施形態では、冷却対象が電気光学装置３４と偏光変換素子３２５であり、これらは互いに離れて配置されていることから、当該冷却空気の循環流路において電気光学装置３４と偏光変換素子３２５との間に配置されている。
そして、放熱部材９１において密閉筐体５１内に位置する部位に沿って当該密閉筐体５１内の冷却空気が流通することにより、当該冷却空気の熱が放熱部材９１に伝導され、これにより、当該冷却空気が冷却される。また、これによって熱を帯びた放熱部材９１は、冷却ファン９２によって密閉筐体５１外を流通する冷却空気によって冷却される。
【００５５】
以上説明した本実施形態に係るプロジェクターによれば、上記プロジェクター１と同様の効果を奏することができる他、以下の効果を奏することができる。
密閉筐体５１には、内部の熱を外部に放熱する放熱部材９１が設けられ、当該放熱部材９１には冷却ファン９２により冷却空気が流通される。これによれば、吸熱装置６の循環流路及び放熱装置７の循環流路とは別に、密閉空間Ｓ内の冷却空気の温度を低下させる経路を設けることができる。従って、当該冷却空気の温度を一層低下させることができ、密閉筐体５１内の冷却対象を効果的に冷却できる。
なお、冷却装置４Ｂでは、吸熱装置６を採用したが、吸熱装置６Ａを採用してもよい。
【００５６】
［第２実施形態の変形］
上記冷却装置４Ｂでは、密閉筐体５１に取り付けられる放熱部材９１と冷却ファン９２とを有する密閉空間冷却装置９により、密閉筐体５１内の冷却空気を、吸熱装置６の循環流路及び放熱装置７の循環流路とは別の経路にて冷却した。しかしながら、密閉空間冷却装置９の構成は、上記構成に限らず、他の構成でもよい。
例えば、密閉筐体５１の少なくとも一部（例えば外壁部５１Ａの少なくとも一部）を熱伝導性材料によって形成し、当該熱伝導性材料によって形成された熱伝導部位に冷却ファン９２が冷却空気を流通させる構成としてもよい。このような構成によっても、当該熱伝導部位によって密閉筐体５１の内外で熱を交換できるので、密閉筐体５１内を循環する冷却空気を冷却でき、ひいては、冷却対象を効率よく冷却できる。
【００５７】
［実施形態の変形］
本発明は、上記実施形態に限定されるものではなく、本発明の目的を達成できる範囲での変形、改良等は本発明に含まれるものである。
上記各実施形態では、プロジェクターは、密閉空間Ｓ内の冷却空気の循環流路（第１流体の第１循環流路）と、吸熱装置６における第１液体の循環流路（第２流体の第２循環流路）と、放熱装置７における第２液体の循環流路（第３流体の第３循環流路）とを有するとした。これら循環流路の構成は、上記に限らない。例えば、吸熱装置６及び放熱装置７の構成は、上記に限らず、密閉空間Ｓ内を循環する第１流体（気体）から、液体の第２流体に熱が伝導され、当該第２流体とは別の循環流路を流通する液体の第３流体に、更に熱が伝導される構成であれば、どのような循環流路であってもよい。
【００５８】
上記各実施形態では、熱交換装置８は、受熱部８１を２つの放熱部８２，８３が挟み、当該受熱部８１と放熱部８２との間、及び、受熱部８１と放熱部８３との間に、熱電変換素子８４２，８５２を有する熱伝導部８４，８５が配置される構成であった。しかしながら、本発明はこれに限らない。例えば、熱交換装置は、１つの受熱部と、１つの放熱部と、これら受熱部及び放熱部の間に配置される熱伝導部（熱電変換素子）と、を備える構成であってもよい。また、熱電変換素子は無くてもよく、複数設けられていてもよい。すなわち、熱交換装置の構成は、他の構成でもよい。
【００５９】
上記各実施形態では、循環冷却装置５は、密閉空間Ｓ内の冷却空気を循環させて、当該密閉空間Ｓ内に配置された冷却対象を冷却するとした。しかしながら、本発明はこれに限らない。例えば、密閉空間Ｓ内に空気以外の気体（窒素ガスやヘリウムガス等）を充填し、これを循環させて冷却対象を冷却してもよい。
【００６０】
上記各実施形態では、第１液体の循環流路において、熱交換装置８は、吸熱器６１の直近の上流側に位置し、当該熱交換装置８の受熱部８１によって冷却された第１液体は、流通管６４４を介して吸熱器６１に流通するとした。しかしながら、本発明はこれに限らない。例えば、熱交換装置８と吸熱器６１との間に、タンク６２やポンプ６３が配置されていてもよく、上記放熱器６５が配置されていてもよい。すなわち、吸熱装置６は、熱交換装置８から流出された第１液体が、他の構成を介して吸熱器６１に送出される構成であってもよい。
【００６１】
上記各実施形態では、第２液体の循環流路において、熱交換装置８は、放熱器７３の直近の下流側に位置し、当該放熱器７３によって冷却された第２液体は、流通管７４４を介して熱交換装置８の放熱部８２に流通するとした。しかしながら、本発明はこれに限らない。例えば、放熱器７３と熱交換装置８との間に、タンク７１やポンプ７２が配置されていてもよい。すなわち、放熱装置７は、放熱器７３から流出された第２液体が、他の構成を介して熱交換装置８に送出される構成であってもよい。
【００６２】
上記各実施形態では、循環冷却装置５は、密閉筐体５１内に配置され、内部の冷却空気を循環させる循環ファン５２を有し、当該循環ファン５２は、吸熱器６１近傍に配置されるとした。しかしながら、本発明はこれに限らない。例えば、循環ファン５２の配置位置は、密閉筐体５１内の冷却空気を循環させることができれば、吸熱器６１近傍でなくてもよい。また、冷却ファン５３による冷却空気の吸引力が高く、当該冷却ファン５３によって冷却空気を循環させることができれば、循環ファン５２は無くてもよい。
【００６３】
上記各実施形態では、冷却対象として、偏光変換素子３２５及び電気光学装置３４を挙げた。しかしながら、本発明はこれに限らない。例えば、偏光変換素子３２５及び電気光学装置３４の一方のみでもよい。また、冷却対象として、光源装置を採用してもよく、他の光学部品を採用してもよい。
また、上記各実施形態では、冷却空気の循環流路において、吸熱器６１に近い上流側に電気光学装置３４を配置し、下流側に偏光変換素子３２５を配置した。しかしながら、これに限らず、当該循環流路において、逆に配置されてもよく、これらが並列に配置されてもよい。他の冷却対象が採用される場合も同様である。
【００６４】
上記各実施形態では、プロジェクター１は、３つの液晶パネル３４１（３４１Ｒ，３４１Ｇ，３４１Ｂ）を備えるとした。しかしながら、本発明はこれに限らない。すなわち、２つ以下、あるいは、４つ以上の液晶パネルを用いたプロジェクターにも、本発明を適用可能である。
また、画像形成装置３の形状も上記形状に限らず、平面視略Ｌ字形状や平面視略Ｕ字形状を有した構成を採用してもよく、他の構成を備えていてもよい。
更に、光変調装置として採用される液晶パネル３４１は、透過型でも反射型でもよく、或いは、マイクロミラーを用いたデバイス、例えば、ＤＭＤ（Digital Micromirror Device）等を利用したものなど、液晶以外の光変調装置を用いてもよい。
【００６５】
上記各実施形態では、照明装置３１は、それぞれ光源ランプ３１１及びリフレクター３１２を有する２つの光源装置３１Ａ，３１Ｂを備える構成とした。しかしながら、本発明はこれに限らない。すなわち、光源装置の数は１つでもよく、３以上でもよい。また、光源装置として、ＬＥＤ（Light Emitting Diode）やＬＤ（Laser Diode）等の固体光源を有する構成としてもよい。この場合、ＬＤから出射される励起光により励起されて蛍光を出射する蛍光体を有する構成としてもよい。
【符号の説明】
【００６６】
１…プロジェクター、３１Ａ，３１Ｂ…光源装置、３２５…偏光変換素子（光学部品）、３４…電気光学装置（冷却対象）、３４０…フィールドレンズ、３４１（３４１Ｂ，３４１Ｇ，３４１Ｒ）…液晶パネル（光変調装置）、５…循環冷却装置（第１循環流路）、５１…密閉筐体、５２…循環ファン、６…吸熱装置（第２循環流路）、６１…吸熱器、６２…タンク（第２循環流路側タンク）、６３…ポンプ（第２循環流路側ポンプ）、６４（６４１〜６４５）…流通管（第２循環流路側流通管）、６５…放熱器（第２循環流路側放熱器）、７…放熱装置（第３循環流路）、７１…タンク（第３循環流路側タンク）、７２…ポンプ（第３循環流路側ポンプ）、７３…放熱器、７４（７４１〜７４４）…流通管（第３循環流路側流通管）、８…熱交換装置、８１…受熱部、８２，８３…放熱部、８４２，８５２…熱電変換素子、９１…放熱部材、９２…冷却ファン、Ｓ…密閉空間。
【図１】
0006515647.tif 000002
【図２】
0006515647.tif 000003
【図３】
0006515647.tif 000004
【図４】
0006515647.tif 000005
【図５】
0006515647.tif 000006
【図６】
0006515647.tif 000007
【図７】
0006515647.tif 000008
【図８】
0006515647.tif 000009